(57)【要約】ピボット軸受が楽器のケース内で取付けられるバランス・レールに配置されたピボットピン上の軸受の取付けを可能にする縦のスロットを備えた、鍵盤楽器のための可動キー・レバー・ピボット軸受システム。キー・レバー、ピボットピンおよびバランス・レールの全ては互いに固定された関係のままであり、軸受がピアニストに関して前後に長手方向に移される場合に支点変化が生じる。例えば軸受の位置を調整するために操られる延長アームのような選択された縦の位置で軸受を固定するために手段が提供される。【選択図】図４
2012510640.tif 000002
【特許請求の範囲】
【請求項１】
ケースと、該ケース内で取付けられたバランス・レールと、該レールに沿って垂直に配置された複数のピボットピンと、該ピボットピンの１つを受容するためのスロットを各々が有する複数のキー・レバーとを有し、該キー・レバーは、該スロットにより該ピボットピン上に配置される鍵盤楽器において、改良点：Ａ．該レバーに支点を提供し、該ピボットピンの１つを受容するための縦のポートを各々が有し、該キー・レバーの１つと該バランス・レールとの間で該ピボットピンの１つの上に長手方向に摺動可能に各々が配置された複数の移動可能なピボット軸受であって、該ピボット軸受の各々の位置が、該キーの１つと、該ピボットピンの１つと、該バランス・レールとに関して長手方向に調節可能である複数の移動可能なピボット軸受と；Ｂ．該ケース内に取付けられ、該キー・レバーの支点を変えるため、該バランス・レールと該キー・レバーとの間で該ピボット軸受を長手方向に摺動するように該ピボット軸受に付属されたピボット軸受調節手段と；を含む、鍵盤楽器。
【請求項２】
前記ピボット軸受調節手段が：Ａ．前記バランス・レールと本質的に整列配置された前記ケースに横断方向に配置された可動ピボット軸受レールと；Ｂ．該ピボット軸受レールに取り付けられ、前記アームの各々１つが前記ピボット軸受の各々１つを支持するために配置された複数のピボット軸受アームと；Ｃ．該ピボット軸受の縦の位置を調整するため、該ピボット軸受レールを該バランス・レールに関して長手方向に動かすピボット軸受レール移動手段と；を含む、請求項１の改良点。
【請求項３】
前記ピボット軸受レール移動手段が、前記ピボット軸受レールに取り付けられるナット手段と、前記ケースに取付けられる該ナット手段に係合される回転可能なボルト手段とを含む、請求項２の改良点。
【請求項４】
少なくとも一組の前記ナットとボルト手段が、前記ピボット軸受レールの対向した端部の各々で配置されたことにより、前記端部のいずれかを選択された距離分前記バランス・レールに関して長手方向に移動させる、請求項３の改良点。
【発明の詳細な説明】
【技術分野】
【０００１】
（関連出願に対する相互参照）
本出願は、同じ発明者により２００８年１２月１２日に出願された米国仮出願番号第６１／２００，４９６号の開示に基づくものであり、本願明細書に参照によって組み込まれたものとする。
【０００２】
技術分野：本発明は、ピアノに限定されないが、主に弦の鍵盤楽器において使用されるキー・メカニズムに関するものであり、特に音を出すのに必要とされるタッチまたは圧力を変化させる装置に関係があるものである。
【背景技術】
【０００３】
従来技術の記載：ピアノのキー・メカニズムは、キー・メカニズムのグループ化のうちの１つであり、概してフェルト製ハンマーを弦の上へ動かして、このことにより色調および音楽を生み出すために使用される８８の番号付けである。ピアノ・キー・レバーはピアニストの指により押し下げられるまたは打たれ、ピアノ・ハンマーは弦上へ速度が増幅された割合で動かされる。
【０００４】
従来技術におけるピアノのキー・メカニズム設計では、ピアノのキーは、バランス・レールの一定の位置にあるピボット軸受上に載置され、バランス・レールに挿入される金属ピボットピンによって適所に保持される。ピボット軸受は、ピボットピンによって適所に保持される概してフェルト製のウールの布のディスクまたはウールのフェルトで覆われた木の半円の部分である。キーの後方の側において、多くの場合、弦にハンマーを動かすためのメカニズムと係合する滑らかな上部を有する金属ネジが存在する。
【０００５】
下に動いている指およびキーと弦へ動くハンマーとの間の速度増幅の割合は、ピボット軸受上のキー・レバーのバランスポイントまたは支点によって非常に影響を受ける。キー・レバーのいかなる与えられたバランス点においても、支点がピアニストに近いと、ピアニストがキーを打つ時にキー運動に関してハンマーが速く動き、キーを弾くためにピアニストに要求される力はより多くなる。また、ハンマーが速く動いているので、それらの機能を完全なものにするメカニズムの内部の働きのためにキーが動かなくてはならない下方への距離はそれほど大きい必要はない。逆にいえば、キー・レバーのバランスポイントがよりピアニストから間隔をおいて配置されるように設計されている場合、ハンマーは、ピアニストがキーを打つ時にキー運動に関してゆっくり動き、キーを弾くためにピアニストに要求される力はより少なくなる。また、ハンマーがゆっくり動いているので、それらの機能を完全なものにするメカニズムの内部の働きのためにキーが動かなくてはならない下方への距離は大きくなければならない。
【０００６】
ピアニストは概して、ピアノを弾く時に、キーを押し下げるために要求されるタッチの質または力の分量で特定のピアノを選ぶ。ある人は重いタッチを好み、ある人は中程度のタッチを好み、またある人はより軽いタッチを好む。そのすべては、ピアニストの生理学および彼らが演奏する音楽のタイプによって決まる。より軽いタッチを必要とするピアニストは、より重いタッチを必要とするピアニストとは異なるピアノを必要とする。
【０００７】
従来技術は、キー・レバーの支点がその楽器の演奏特性を生じさせるように鍵盤楽器内で動かされる多くのユニークなシステムを開示する。Ａｎｅｌｌｉによる米国特許第１，２２４，９９４号は、キー・レバーは固定されたままであり、ピボットピンを含むバランス・レール・アセンブリ全体およびピボット軸受は、長手方向にキーに関してユニットとして移動される配置を示す。
【０００８】
Ｏｌｅｓｏｎによる米国特許第７７７，１３３号は、バランス・レールおよびピボットピンを用いて、主たるキー支柱アセンブリの一部として構成されないオルガンキーのための支柱部材上の調節可能な二番目の押し玉を示す。
【０００９】
Ｋｒｉｎｇｌｅによる米国特許第６１９，１６４号は、また直接キー・レバーと相互作用していない主たる装置というより第２の装置である重量および可動支柱を使用している複雑なシステムを示す。
【００１０】
Ａｂｓｍａｎｎによる米国特許第４，３０８，７８３号は、キー・レバーのスロットを受ける２つの間隔を置かれた別々の縦のピボットピンを備え、レバーがバランス・レール上の固定されたピボットピンの一方または他方のいずれかに配置される。
【００１１】
他の比較的複雑な方法は、バネを用いるＣｏｎｋｌｉｎ  Ｊｒ．その他による米国特許第４，３８１，６９１号；重りを用いるＩｓｈｉｋａｗａ  Ａｋｉｒａによる日本国特許公表ＪＰ２００５０７７８４８（Ａ）号；および、調節可能な磁石を用いるＳｎｅｌらによる国際公開番号ＷＯ００／５４２４８号において開示される。
【００１２】
既存の楽器において出願人に公知の従来技術の装置のいずれも使用に適しているように思われない。すなわち、それらは楽器の最初の構造に一体化されなければならず、容易には可能でなく、仮にそうであってもすでに構築された楽器に改造されることになる。さらに、従来技術において、新しく構成された楽器においてさえも出願人の方法で使用されるいかなる種類の構造もない。
【００１３】
加えて、出願人の発明は、一様でなく、すなわちキーの１つのグループにおいてより軽いタッチを提供し、他方のグループにより重いタッチを提供するように設定を変化させる手段と同様に、鍵盤全体のすべてのキーに沿って多数のタッチ調整を可能にする。
【先行技術文献】
【特許文献】
【００１４】
【特許文献１】米国特許第１，２２４，９９４号
【特許文献２】米国特許第７７７，１３３号公報
【特許文献３】米国特許第６１９，１６４号公報
【特許文献４】米国特許第４，３０８，７８３号公報
【特許文献５】米国特許第４，３８１，６９１号公報
【特許文献６】日本国特許公表ＪＰ２００５０７７８４８（Ａ）号公報
【特許文献７】国際公開番号ＷＯ００／５４２４８号公報
【発明の概要】
【課題を解決するための手段】
【００１５】
本発明は、作成中またはすでに存在する楽器内でキー・レバーの支点を変えるためのキー・レバー・ピボット支持アセンブリとして要約される。キー・レバーの下でピボット軸受が長手方向に動く、すなわち、ピアニストに関して前方または後方に動くことができるメカニズムを提供することによって単一の楽器内でタッチの範囲を生成し、このことによりピアノの演奏の質に影響を与えることが本発明の主たる目的である。本発明の好ましい実施態様において、各々のキー・レバーの下のピボット軸受は、キー・レバーの前方側の下において交替で調節可能な軸受レールに取り付けられる摺動可能な軸受アームに取り付けられる。軸受レールを長手方向に動かすための手段は例えば、鍵盤に沿って１つ以上の位置で貫かれた一組のボルトとナットによって提供される。鍵盤に沿って適切な場所の回転ノブを用いてボルトを回転させることによって、ピアニストはピボット軸受の位置を調整する。各々のノブは、演奏する力の均一な減少または増加を提供するように、または、鍵盤全体の様々な演奏する力を提供するように一様でなく軸受レールをゆがめるために多少等しく回転される。
【００１６】
各々の軸受アームは、全方向式の横の強度を有する平らで薄い柔軟な構造を可能にする材料でできている。それは、キー・レバーの下でのピボット軸受の押しと引きに耐えるために十分固くなければならない。そのような材料は、樹脂に含浸された織り繊維構造を用いた繊維ガラスまたはその他の材料を含む。軸受アームに取り付けられるピボット軸受は、ピボット軸受の上にキー・レバーを配置するピボットピンの直径に適合する幅のスロットを有する。スロットの縦の長さは、ピボット軸受がバランス・レールの上で前後に摺動することができるだけの十分な長さを持つ。パンチングと呼ばれるペーパーディスクはピボットピンの上にすべり込み、ピアノ演奏部の端のキー・レバーの高さを決めるためにバランス・レールとピボット軸受との間で保持される。これらのパンチングは、ピアノ鍵盤の通常の構造の部分である。
【００１７】
アセンブリは、発明の構造および作動を容易にするために特定の構成の軸受アームをさらに含む。
【００１８】
本発明のこれらおよび他の特徴および効果は、以下の図面による好ましい実施態様の記載からより明白になる。
【図面の簡単な説明】
【００１９】
【図１ａ】図１ａは、本発明に関する従来技術の斜視図である；
【図１ｂ】図１ｂは、本発明に関する従来技術の斜視図である；
【図１ｃ】図１ｃは、本発明に関する従来技術の斜視図である；
【図２ａ】図２ａは、本発明の好ましい実施形態の斜視図である；
【図２ｂ】図２ｂは、本発明の好ましい実施形態の斜視図である；
【図２ｃ】図２ｃは、本発明の好ましい実施形態の斜視図である；
【図３ａ】図３ａは、鍵盤楽器の装置の効果を示している本発明の好ましい実施形態の追加の斜視図である；
【図３ｂ】図３ｂは、鍵盤楽器の装置の効果を示している本発明の好ましい実施形態の追加の斜視図である；
【図３ｃ】図３ｃは、鍵盤楽器の装置の効果を示している本発明の好ましい実施形態の追加の斜視図である；
【図４】図４は、鍵盤楽器において設置される本発明の好ましい実施形態の代替的な構造の斜視図である；
【図５】図５は、図４の実施態様の断面の側面図である；
【図６】図６は、図６の一部の斜視図である；
【図７ａ】図７ａは、本発明のさらなる態様の線図表現である；
【図７ｂ】図７ｂは、本発明のさらなる態様の線図表現である；
【図８ａ】図８ａは、本発明のさらなる態様の追加の線図表現である；
【図８ｂ】図８ｂは、本発明のさらなる態様の追加の線図表現である；
【図９】図９は、本発明のさらなる態様の追加の線図表現である；
【図１０】図１０は、本発明のさらなる態様の追加の線図表現である。
【発明を実施するための形態】
【００２０】
最初に図１ａ、１ｂおよび１ｃを参照すると、鍵盤楽器、特にピアノのキー・レバーを支えるのに用いられる本装置の斜視図が示され、バランス・レール１０は、楽器のケース構造の一部を形成するまたはそれに取り付けられた支持部材またはキー・フレーム１２の上に配置される。ピボットピン１６は、レール１０から上方へ延長して、本質的にピボットピンに等しい断面のポート２０を有するピボット軸受１８を受ける。
【００２１】
三角形のスロット２４を有するキー・レバー２２はピン１６の上に同様に配置され、キー・レバーが回転する支点を定めるピボット軸受１８上に載置される。キー・レバーが左側で押し下げられる時に、右側は、音を奏でるように弦を打つハンマー・メカニズムを作用するために立ち上がる。
【００２２】
図１ｂは適所にキーのない装置を示し、図１ｃはポート２０を有する半円のフェルトで覆われた木の軸受１８と、ポート２８を有するフェルトディスク２６のような平面ワッシャとを有する現在使用されているピボット軸受の２つの主要なタイプを示す。
【００２３】
図２ａ、２ｂおよび２ｃは、上記の図１ａ、１ｂおよび１ｃに示される従来技術と比較した本発明の好ましい実施形態の斜視図である。バランス・レール１０、キー・フレーム１２、ピボットピン１６、および、キー・レバー２２は同じのままである一方で、ピボット軸受１８は、ピボットピン１６の幅であるが、軸受３０によって提供されるキー・レバー支点３３の移動の少なくとも所望の範囲の分量の長さの周りで縦のスロット３２を有する長手方向に摺動可能なピボット軸受３０によって置き換えられたものである。
【００２４】
選ばれた縦の位置に軸受３０を固定する手段は、楽器の横断方向に配置され、例えばすべてのキー、または高音、中音および低音を表すグループのキーに本発明を適用するのに必要なだけの数のキーを係合するため、鍵盤に本質的に平行である、例えば摺動可能な軸受レール３６に取り付けられる摺動可能なピボット軸受アーム３４によって提供される。
【００２５】
選ばれた縦の位置に軸受３０を固定する手段は、楽器の横断方向に配置され、例えばすべてのキー、または高音、中音および低音を表すグループのキーに本発明を適用するのに必要なだけの数のキーを係合するため、鍵盤に本質的に平行である、例えば摺動可能な軸受レール３６に取り付けられる摺動可能なピボット軸受アーム３４によって提供される。
【００２６】
図２ｂに示すように、摺動可能な軸受アセンブリは、キー・レバー２２が取り除かれて示される。軸受アーム３４は、ピボット軸受３０がアームの上に取付けられたピボット軸受スロット３２と一致する縦のスロット３８を有する。他の手段は例えば、各々のキーまたはキーのグループのためのタッチが個々の音楽家のために半永久的にまたは永久的に決められるような各々の軸受をシステムの軸受レールに保持するためのブラケットを含んで、適所に本発明のピボット軸受を動かすまたは保持するために用いられる。
【００２７】
図２ｃは、軸受が間隔を置いて離れた関係でアーム３４に取付けられた一対の平らなフェルトの矩形４０で構成される、本発明の代替的なピボット軸受を示す。上記の軸受３０と同様に、分離された対は、アームのスロット３６と一致するスロット４２を定める。
【００２８】
次に図３ａ、３ｂおよび３ｃを参照すると、本発明の効果は、鍵盤の左または近位側に楽器の演奏者によって作用されるキー・レバーに関して示される。図３ａは、キーの有効なレバーアームをより短くして、音を出すのにより多くの圧力を要求する演奏者の方へ移されたピボット軸受および支点を示す。図３ｂは従来技術の静的または固定された軸受構造の場合の中央位置の軸受を示し、図３ｃは、より長い有効なキー・レバーアームを生成して、より軽いタッチにつながる遠位の位置へ完全に後方に動かされた軸受を示す。
【００２９】
図４は、近位の鍵盤位置から前方へ見たピアノにおいて設置される本発明の斜視図である。３つのキー・レバー５０ａ、５０ｂおよび５０ｃは、交替でキー・フレーム５６に取付けられたバランス・レール５４に取付けられたピボットピン５２上に設置されて示される。残りのキーは、示されない。複数の摺動可能な軸受アーム５８は、各々がネジ６２に固定された可動軸受レール６０に取付けられる。アーム５８はブラケット・ピボットピン５２に延長し、例えば上記の図２ｃに図示するように、間隔を置かれた別々のピボット・ベアリング部材６４から構成されるその上に取付けられるスロット付きのピボット軸受６３を各々が有する。軸受アーム５８に沿って、スロットおよびピボット軸受の領域の外側の幅は、隣接した軸受アーム間の間隔を可能にするように狭くなる。
【００３０】
軸受レール６０は前または後ろへ動かされるために配置されて、キー・レバーの下で軸受アームによって支持されるすべてのピボット軸受は前または後ろへグループとして動かされる。軸受レール前後に押すまたは引くための好適な装置は、その１つが示されるレールの各々の端部がそれぞれレールに取り付けられた貫かれたナット６５の使用である。ギザギザをつけられたノブ６８を有するボルト６６は、鍵盤の前方レール７０の楽器のケースに取付けられ、スラスト軸受７２によって適所に保持される。内側または外側で長手方向にレールを動かすため（矢印７４）、ノブは、軸受レール、軸受アームおよびピボット軸受を前後に動かすようにいずれの方向においても回転し、このことによりピアノの演奏特性を変える。
【００３１】
レール６０は、内側または外側で鍵盤全体に等しい変化を生じさせるために軸受レール６０の各々の端部から等しく動かされる、または、レールの屈曲を一様でなく引き起こし、鍵盤全体の演奏特性を様々に変化させる。すなわち、一端または他端がその対向する端部よりも多少動かされる場合、タッチは、場合によって一端または他端よりも重いまたは軽い。
【００３２】
図５は、ピボット軸受およびピボット軸受アーム下の末端におけるキー・レバー６３の近位端部の下でペーパー・パンチング６１の使用を加えて示す図４の設置法の断面図を表す。これらのパンチングは、現在製造されている楽器におけるキー・レバー動作の最終的な調整のための標準装置である。
【００３３】
軸受レールの屈曲を可能にするため、軸受レールへの軸受アームの取付け点６２は、軸受アームの水平な回転が可能でなければならない。これは、ネジ６２とレール６０との間のフェルトのような圧縮可能な材料から構成されるディスクまたはワッシャ７６の配置によって達成される。ネジはそれから、十分な分量の摩擦および音の減衰化を提供するため、選択された分量締められ、軸受アーム５８が装置の再配置された位置に調整されるのを可能にする。
【００３４】
軸受レール位置指示アーム７８は、鍵盤の一方または両側に提供され、演奏者は、所望のキー・タッチの特性のレールの場所に注目する。指示アーム７８は金属または他の固い材料の薄いストリップから構成され、例えば、上記したピボット軸受アーム５８のそれに類似したネジおよびワッシャの組合せ８０により水平に回転できる方法で軸受レール６０に取り付けられる。示すように、指示アーム７８は、演奏者の方へ前方へ動き、鍵盤の前方レール７０上に載置される。図６は、軸受レールの位置を示すための小さなスケール８２を示し、それで、演奏者は繰り返しの設定のためのピボット軸受の位置を知ることができる。
【００３５】
例えばレバーの使用のように前後に軸受レールを動かす他の様々な方法が提供されるのはいうまでもない。
【００３６】
ピアノを作成する現在の技術において、ピアノ・キーの前部または近位端部は、演奏される時に下方へ正確な距離分動かなければならない。距離が短すぎる場合、ピアノ・キー・メカニズムの内部の働きは、十分にはそれらの機能を完全なものにせず、キーは適切に打たれないまたは演奏されない。ピアノ・キーの近位端部が、必要であるよりも大きな距離分下方へ動く場合、ピアノはより演奏するのが難しくなる。したがって変えるために、すなわち、ピアノ・キーのてこ比を増加または減少するために、メカニズムの最高の機能を可能にするため、キーの前端が下に移動しなければならない特定の距離は、より大きくまたはより小さく作成されなければならない。
【００３７】
軸受点を別の場所に移すことによって、キーの影響力は変わり、したがって、キーの動きの特定の深さのための必要条件は変化する。てこ比が軸受レール、および、結果的にピボット軸受および支点を動かすことによって変わる場合、演奏される時にキーが近位端部で下に動く必要がある距離の変化を補正する方法を提供することが望ましい。
【００３８】
本発明の最も大きな利点を達成することは、したがって、ピボット軸受の調整の範囲の全体にわたる各々のキー・メカニズムの調整を含む。キー・レバー・ピボット軸受の定位置を有する現在製造される楽器において、キーは、前方レールに対して止まる前に下方へ特定の距離分移動するために決められる。この距離は、バランス・レール・パンチ６３に類似しているが大きい直径の設計のペーパー・パンチ６１を用いて非常に正確に決められる。支点の位置が変わる場合、ハンマーの速度はキーストロークの速度に関して変わる。支点がピアニストの方へ前方に動かされる場合、ハンマーは、キーの前に関してより速く動く。この場合、キーがその停止点まで移動する距離は、最適性能のためにわずかに減らされるべきである。逆にいえば、支点がピアニストから離れて後ろに動かされる場合、ハンマーはキーの前に関してよりゆっくり動く。この場合、キーがその停止点まで移動する距離は、最適性能のためにわずかに増加しなければならない。
【００３９】
この最適化は、キーが休止している時にバランス・レールとキー・レバーの底部との間の角度を特定の角度に決めることによって対処される。これはもちろん、ピボット軸受がバランス・レール上で摺動する面は平らで滑らかであることを必要とする。この角度、補正角度は、ピボット軸受が後ろに摺動する時に、ウェッジ効果がキーをわずかに上げて、このことにより鍵盤の前でキー・レバーの高さを上げ、キー・レバーの前の必要な移動距離が増加することが可能になるように配置される。この補正角度は、各々の特定のキー・メカニズム設計に特別なものであり、ピボット軸受の位置がいかなるキーの下にあっても鍵盤メカニズムが調整されるために特定の補正角度で決められなければならない。
【００４０】
ここで図７ａを参照すると、左側の近位または演奏部分の端部のキー・レバー８８、中心の近くの可動ピボット軸受９０、および、右または遠位の側上のパッド９２上に載置されているキー・レバーの側面図が示される。キーの遠位の側上の延長アーム９４は、楽音を作成するために弦を打つハンマー・メカニズムと係合する。演奏される時にキーが下に移動する距離は、停止パッド９６の厚さを調整することによって決められる。図７ｂに示すように、演奏される時にキーが下方へ移動する距離は、休止したキーのキーＲ１と停止パッド９６に対して押し下げられるキーを有する基準点Ｒ２との上部で基準点を取ることによって決定される。移動の距離はＲ１‐Ｒ２として提供され、ディップと呼ばれる。
【００４１】
図７ａおよび７ｂにおいて、可動軸受９０は一番端の近位の位置に決められ、このことにより、演奏される時にキーに重い感覚を生成する。
【００４２】
次に図８を参照すると、可動ピボット軸受９０が一番端の遠位の位置に決められ、このことにより、演奏される時にキーにより軽い感覚を生成する。この位置の可動軸受では、より深いディップが必要とされる。これは、軸受が一番端の遠位の位置に動く時にキー・レバーとバランス・レールとの間の距離がより小さくなるように、キー・レバーの底面とバランス・レール９８との間の角度を決めることによって達成される。これにより、キーＲ１の点Ｒ３への隆起が生じる。これはディップをＲ３−Ｒ２に等しくなるように増やし、一番端の遠位の位置の軸受で機能的な動作を作成する。
【００４３】
キー・レバー８８とバランス・レール９８との間の特定の臨界角で、補正角度は弦の鍵盤楽器のいかなる特定の設計でユニークであり、ピアノのように現在製造されている弦の鍵盤楽器のキー・レバーとバランス・レールとの間で一般に分かる角度とは異なる。近位および遠位の軸受位置間のディップの必要条件を満たすため、キー・レバーとバランス・レールとの間の角度は、この必要条件を満たすように決められる必要がある。これは例えば、図９に示すような角度のカット１００でキー・レバー８８の下側を改良する解決法、または、キー・レバー９８の下側と関連してバランス・レール９８の上面の角度を変えること、またはキー・レバーの底面にはさみ金を加えることによって実行される。
【００４４】
したがって、補正角度は、以下のように図１０に関して提供される：補正角度の正接がＤ１／Ｄ２であるので、補正角度は、正接テーブルを参照することによって提供される。そこで：Ｂ１は近位または重い位置のキー・レバーの支点による垂直線であり、Ｂ２は遠位または軽い位置のキー・レバーの支点による垂直線であり、Ｋ１は理想的にそのてこ比の決められるディップで、重いように設定される支点を有するキー・レバーの底面であり、Ｋ２はディップがそのてこ比に理想的であるようにキーが上昇されて、軽いように設定される支点を有するキー・レバーの底面であり、Ｓ３はバランス・レールの上部端であり、Ｄ３は軽い位置に決められる軸受が軸受点によってキーを上げる必要がある距離であり、Ｌ１は、バランス・レールＳ３の面と平行した線であり、ＣＡは補正角度である。
【００４５】
上記で説明された好ましい実施態様の変種が本開示の一般的な概念の範囲内で作成されるので、本発明はそれゆえに以下の請求項によって定められる。
【図１ａ】
2012510640.tif 000003
【図１ｂ】
2012510640.tif 000004
【図１ｃ】
2012510640.tif 000005
【図２ａ】
2012510640.tif 000006
【図２ｂ】
2012510640.tif 000007
【図２ｃ】
2012510640.tif 000008
【図３ａ】
2012510640.tif 000009
【図３ｂ】
2012510640.tif 000010
【図３ｃ】
2012510640.tif 000011
【図４】
2012510640.tif 000012
【図５】
2012510640.tif 000013
【図６】
2012510640.tif 000014
【図７ａ】
2012510640.tif 000015
【図７ｂ】
2012510640.tif 000016
【図８ａ】
2012510640.tif 000017
【図８ｂ】
2012510640.tif 000018
【図９】
2012510640.tif 000019
【図１０】
2012510640.tif 000020
【国際調査報告】
2012510640.tif 000021